(57)【要約】  処理された部位に心地よい匂い、特に、持続性の木、花、果実、又は柑橘類のような特徴を有するものを提供し、時間が経っても変色しない処理組成物に対する必要性は、前記処理組成物と、架橋ホルムアルデヒドから形成されるマイクロカプセル壁と、香料を含有するアルデヒド又はケトンを含むコアと、を含むマイクロカプセルと、を、アルデヒド及び／又はケトン並びにアミンと複合体を形成して、変色する複合体を形成することのない、ホルムアルデヒドスカベンジャーと併せて配合することによって満たされる。【特許請求の範囲】
【請求項１】
処理組成物であって、
（ａ）マイクロカプセルコア及び前記マイクロカプセルコアを被包するマイクロカプセル壁を含むマイクロカプセルであって、
（ｉ）前記マイクロカプセル壁が、ホルムアルデヒドを少なくとも１つの他のモノマーと架橋させることによって形成され、
（ｉｉ）前記マイクロカプセルコアが、香料を含み、前記香料が、アルデヒド、ケトン、及びこれらの混合物からなる群から選択される香料原材料を含む、マイクロカプセルと、
（ｂ）一級又は二級アミンと、
（ｃ）尿素、ピロガロール、１，２ヘキサンジオール、及びこれらの混合物からなる群から選択されるホルムアルデヒドスカベンジャーと、
を含む、処理組成物。
【請求項２】
前記マイクロカプセル壁の前記少なくとも１つの他のモノマーが、メラミン、尿素、グリコウリル、ベンゾグアニン、ジヒドロキシエチレンウレア、ヒドロキシ（アルコキシ）アルキレンウレアモノマー、及びこれらの混合物からなる群から選択される、請求項１に記載の処理組成物。
【請求項３】
前記処理組成物の０．０１重量％〜１２．５重量％の濃度で前記マイクロカプセルを含む、請求項１又は２に記載の処理組成物。
【請求項４】
前記マイクロカプセルコアに含まれる前記香料が、アルデヒド、ケトン、及びこれらの混合物からなる群から選択される前記香料原材料を０．１重量％〜１００重量％含む、請求項１〜３のいずれか一項に記載の処理組成物。
【請求項５】
前記香料原材料が、
（ａ）エチルバニリン［ＣＡＳ番号：１２１−３２−４］、トリプラール［ＣＡＳ番号：６８０３９−４９−６］、ヘキシルシンナミックアルデヒド［ＣＡＳ番号：１０１−８６−０］、ウンデシレンアルデヒド［ＣＡＳ番号：１１２−４５−８］、パラ三級ブチルシンナミックアルデヒド［ＣＡＳ番号：８０−５４−６］、ピノアセトアルデヒド［ＣＡＳ番号：３３８８５−５１−７］、ピニルイソブチルアルデヒド［ＣＡＳ番号：３３８８５−５２−８］、リラール［ＣＡＳ番号：３１９０６−０４−４］、ヒドロシトロネラール［ＣＡＳ番号：１０７−７５−５］、メチルノニルアセトアルデヒド［ＣＡＳ番号：１１０−４１−８］、メチルオクチルアセトアルデヒド［ＣＡＳ番号：１９００９−５６−４］、２−［４−メチルフェニル）メチレン］−ヘプタナール［ＣＡＳ番号：８４６９７−０９−６］、アミルシンナミックアルデヒド［ＣＡＳ番号：７４９３−７８−９］、ノニルアルデヒド［ＣＡＳ番号：１２４−１９−６］、２，６，１０−トリメチル−９−ウンデセナール［ＣＡＳ番号：１４１−１３−９］、デシルアルデヒド［ＣＡＳ番号：１１２−３１−２］、ラウリンアルデヒド［ＣＡＳ番号：１１２−５４−９］、ウンデシルアルデヒド［ＣＡＳ番号：１１２３−４４−７］、サイマール［ＣＡＳ番号：１０３−９５−７］、２，４−ジメチル−３−シクロヘキセン−１−カルバルデヒド［ＣＡＳ番号：６８０３９−４９−６］、３−（３−イソプロピルフェニル）ブタナール［ＣＡＳ番号：１２５１０９−８５−５］、シトラール［ＣＡＳ番号：５３９２−４０−５］、２，６−ジメチル−５−ヘプテナール［ＣＡＳ番号：１０６−７２−９］、ｐ−トリルアセトアルデヒド［ＣＡＳ番号：１０４−０９−６］、アニスアルデヒド［ＣＡＳ番号：１２３−１１−５］、バニリン［ＣＡＳ番号：１２１−３３−５］、２−メチル−３−（４−メトキシフェニル）プロパナール［ＣＡＳ番号：５４６２−０６−６］、３−（プクメニル）プロピオンアルデヒド［ＣＡＳ番号：７７７５−００−０］、３−（４−エチルフェニル）−２，２−ジメチルプロパナール［ＣＡＳ番号：６７６３４−１４−４］、３−（１，３−ベンゾジオキソール−５−イル）−２−メチルプロパナール［ＣＡＳ番号：１２０５−１７−０］、リモネンアルデヒド［ＣＡＳ番号：６７８４−１３−０］、８，８−ジメチル−２，３，４，５，６，７−ヘキサヒドロ−１Ｈ−ナフタレン−２−カルバルデヒド［ＣＡＳ番号：６８９９１−９７−９］、１−メチル−３−（４−メチルペンタ−３−エニル）シクロヘキサー３−エン−１−カルバルデヒド［ＣＡＳ番号：５２４７５−８６−２］、及びこれらの混合物からなる群から選択される香料アルデヒド；
（ｂ）ベンジルアセトン［ＣＡＳ番号：２５５０−２６−７］、α−イオノン［ＣＡＳ番号：１２７４１−３］、β−イオノン［ＣＡＳ番号：１４９０１−０７−６］、γメチルイオノン［ＣＡＳ番号：１２７−５１−５］、イソダマスコーン［ＣＡＳ番号：３９８７２−５７−６］、α−ダマスコーン［ＣＡＳ番号：２４７２０−０９−０］、β−ダマスコーン［ＣＡＳ番号：２３７２６−９１−２］、δ−ダマスコーン［ＣＡＳ番号：５７３７８−６８−４］、ダマセノン［ＣＡＳ番号：２３６９６−８５−７］、メチルセドリルケトン［ＣＡＳ番号：３２３８８−５５−９］、ジヒドロジャスモン［ＣＡＳ番号：１１１２８−０８−１］、ヘキシルシクロペンタノン［ＣＡＳ番号：１３０７４−６５−２］、２−ヘプチルシクロペンタノン［ＣＡＳ番号：１３７−０３−１］、２−ペンチル−シクロペンタノン［ＣＡＳ番号：４８１９−６７−４］、３−メチル−２−ペンチルシクロペンタノン［ＣＡＳ番号：１３０７４−６３−０］、２−ヘキシリデンシクロペンタノン［ＣＡＳ番号：１７３７３−８６−６］、１−（５，５−ジメチル−１−シクロヘキセニル）ペンタ−４−エン−１−オン［ＣＡＳ番号：５６９７３−８５−４］、メチル−β−ナフチルケトン［ＣＡＳ番号：９３−０８−３］、β−ナフチルメチルエーテル［ＣＡＳ番号：９３−０４−９］、４−メトキシアセトフェノン［ＣＡＳ番号：１００−０６−１］、４−メチルアセトフェノン［ＣＡＳ番号：１２２−０６−１］、カシュメラン［ＣＡＳ番号：３３７０４−６１−９］、４−（４−ヒドロキシフェニル）−２−ブタノン［ＣＡＳ番号：５４７１−５１−２］、メントン［ＣＡＳ番号：１０７４−９５−９］、３，４，５，６，−ペンタメチル−３−ヘプテン−２−オン［ＣＡＳ番号：８１７８６−７３−４］、シス−ジャスモン［ＣＡＳ番号：４８８−１０−８］、メチルジヒドロジャスモネート［ＣＡＳ番号：２４８５１−９８−７］、パラメチルアセトフェノン［ＣＡＳ番号：１２２−００−９］、２−シクロヘキシル−１，６−ヘプタジエン−３−オン［ＣＡＳ番号：３１３９７３−３７−４］、２，４，４，７−テトラメチル−オクタ−６−エン３−オン［ＣＡＳ番号：７４３３８−７２−０］、左旋性カルボン［ＣＡＳ番号：６４８５−４０−１］、及びこれらの混合物からなる群から選択される香料ケトン；並びに
（ｃ）これらの混合物、
から選択される、請求項１〜４のいずれか一項に記載の処理組成物。
【請求項６】
前記ホルムアルデヒドスカベンジャーが尿素である、請求項１〜５のいずれか一項に記載の処理組成物。
【請求項７】
前記処理組成物の０．００５重量％〜０．８重量％の濃度で前記ホルムアルデヒドスカベンジャーを含む、請求項１〜６のいずれか一項に記載の処理組成物。
【請求項８】
前記処理組成物が、洗濯洗剤組成物、布地柔軟化組成物、及びこれらの組み合わせからなる群から選択される布地処理組成物である、請求項１〜７のいずれか一項に記載の処理組成物。
【請求項９】
前記処理組成物が、被包されていない香料組成物を更に含み、前記被包されていない香料組成物が、アルデヒド、ケトン、及びこれらの混合物からなる群から選択される香料原材料を含む、請求項１〜８のいずれか一項に記載の処理組成物。
【請求項１０】
前記処理組成物が、ポリアミンを更に含む、請求項１〜９のいずれか一項に記載の処理組成物。
【請求項１１】
請求項１〜１０のいずれか一項に記載の処理組成物を含む単位用量物品であって、前記処理組成物が、２０重量％未満の水を含み、前記処理組成物が、水溶性又は水分散性のフィルムに封入される、単位用量物品。
【請求項１２】
透明又は半透明の容器に収容されている請求項１〜１０のいずれか一項に記載の処理組成物又は請求項１１に記載の単位用量物品を含む、包装された製品。
【請求項１３】
マイクロカプセルを含む処理組成物における変色を防ぐための、尿素、ピロガロール、１，２ヘキサンジオール、及びこれらの混合物からなる群から選択されるホルムアルデヒドスカベンジャーの使用であって、前記マイクロカプセルが、マイクロカプセルコア及び前記マイクロカプセルコアを被包するマイクロカプセル壁を含み、
（ｉ）前記マイクロカプセル壁が、ホルムアルデヒドを少なくとも１つの他のモノマーと架橋させることによって形成され、
（ｉｉ）前記マイクロカプセルコアが、香料を含み、前記香料が、アルデヒド、ケトン、及びこれらの混合物からなる群から選択される香料原材料を含む、使用。
【請求項１４】
部位と請求項１〜１０のいずれか一項に記載の処理組成物とを接触させることによって、前記部位に長時間の匂い効果を提供する、方法。
【請求項１５】
前記部位が布地であり、前記布地を、好ましくは、自動洗浄機内で前記処理組成物と接触させる、請求項１４に記載の方法。
【発明の詳細な説明】
【技術分野】
【０００１】
マイクロカプセルと、活性化メチレン基を含まないホルムアルデヒドスカベンジャーと、を含有する香料を含む処理組成物は、変色を示すことなく、長時間匂い効果をもたらすことができる。
【背景技術】
【０００２】
アルデヒド、ケトン、及びこれらの混合物から選択される香料原材料は、典型的に、処理組成物、及びこのような組成物によって処理される基材に、木、花、果実、又は柑橘類のノートを提供するために用いられる。また、これらは、低濃度で匂い効果をもたらすので、非常に好ましい。持続性の又は使用中の匂い効果をもたらすために、このようなアルデヒド及びケトンをマイクロカプセルに被包することが望ましい。
【０００３】
このようなマイクロカプセルは、典型的に、被包される香料原材料を含むコア材料の周囲にシェルを形成するために、選択したモノマーをともに架橋させることによって作製される。ホルムアルデヒド好ましいモノマーであり、ホルムアルデヒドと架橋高分子網目構造を形成することができる別のモノマーと併用される。しかし、このようなマイクロカプセルは、遊離ホルムアルデヒドをゆっくりと放出することが知られている。更に、残存するホルムアルデヒドが、通常は、マイクロカプセルが形成された後に残る。結果として、許容可能な濃度内にホルムアルデヒド濃度を維持するために、通常は処理組成物にホルムアルデヒドスカベンジャーを添加する。
【発明の概要】
【発明が解決しようとする課題】
【０００４】
このような香料マイクロカプセルを含有する処理組成物は、色安定性が低いことが見出されている。更に、マイクロカプセルスラリー自体の色安定性も低いことが多い。したがって、処理組成物、特に、良好な色安定性も有すると同時に、処理された基材に持続性の木、花、果実、又は柑橘類の特徴を提供する、マイクロカプセルを含むものが依然として必要とされている。
【課題を解決するための手段】
【０００５】
本発明は、マイクロカプセルコアと、前記マイクロカプセルコアを被包するマイクロカプセル壁と、を含むマイクロカプセルであって、前記マイクロカプセル壁が、ホルムアルデヒドを少なくとも１つの他のモノマーと架橋させることによって形成され、前記マイクロカプセルコアが、香料を含み、前記香料が、アルデヒド、ケトン、及びこれらの混合物からなる群から選択される香料原材料を含むマイクロカプセルと；尿素、ピロガロール、１，２ヘキサンジオール、及びこれらの混合物からなる群から選択されるホルムアルデヒドスカベンジャーとを含む処理組成物に関する。
【０００６】
本発明は、このような処理組成物を含む単位用量物品であって、前記処理組成物が、２０重量％未満の水を含み、前記処理組成物が、水溶性又は水分散性のフィルムに封入される単位用量物品に更に関する。
【０００７】
本発明はまた、マイクロカプセルを含む処理組成物における変色を防ぐための、尿素、ピロガロール、１，２ヘキサンジオール、及びこれらの混合物からなる群から選択されるホルムアルデヒドスカベンジャーの使用に関する。
【０００８】
本発明は、部位と本発明による処理組成物とを接触させることによって、前記部位に長時間匂い効果をもたらす方法に更に関する。
【発明を実施するための形態】
【０００９】
本発明の処理組成物は、改善された色安定性を有する。ホルムアルデヒドと別のモノマーとを架橋することによって形成されるマイクロカプセルに、香料アルデヒド及びケトンを含む香料組成物を被包することによって、香料マイクロカプセルを含む処理組成物は、持続性の香料ノート、特に、木、花、果実、又は柑橘類のノートを提供することができる。
【００１０】
アルデヒド及びケトンを含む香料原材料の残量が被包されずに残ると考えられる。更に、マイクロカプセル壁の多孔性に起因して、香料原材料はマイクロカプセルからゆっくりと漏れ出すことができ、それによって、処理組成物中に存在する被包されていないアルデヒド及びケトンの濃度が増大する。
【００１１】
更に、遊離ホルムアルデヒドの残濃度が、マイクロカプセル作製プロセス後に残り、その後、処理組成物に組み込まれる。更に、ホルムアルデヒドも、マイクロカプセル壁からゆっくりと放出される。
【００１２】
アセオアセトアミド（aceoacetamide）、アセト酢酸エチルエステル、及びマロンアミド等の、処理組成物を含有するマイクロカプセルにおいて典型的に用いられるホルムアルデヒドスカベンジャーの多くは、活性化メチレン基を含む。しかし、香料アルデヒド及びケトンは、このようなホルムアルデヒドスカベンジャー、及び一級又は二級アミンと有色複合体を形成し得て、組成物の色を変化させる。同様に、被包されていない香料の一部として処理組成物に添加される香料アルデヒド及びケトンも、上述のホルムアルデヒドスカベンジャー、及び一級又は二級アミンと複合体を形成する。有色複合体により、多くの場合、処理組成物の元の色が望ましくない変化を起こして、変色する。本出願人は、ホルムアルデヒドスカベンジャーとして尿素、ピロガロール、１，２ヘキサンジオール、及びこれらの混合物を用いることによって、このような変色を避けられることを見出した。これらは、活性化メチレン基を含まないので、香料アルデヒド及びケトンと反応して、処理組成物を変色させる有色化合物を形成することができないと考えられる。
【００１３】
本明細書で定義するとき、成分を「本質的に含まない」とは、前記成分が、それぞれのスラリー又は組成物の１５重量％未満、好ましくは１０重量％未満、より好ましくは５重量％未満、更により好ましくは２重量％未満の濃度で存在することを意味する。最も好ましくは、成分を「本質的に含まない」とは、前記成分が、それぞれのスラリー又は組成物中に存在しないことを意味する。
【００１４】
本明細書で定義するとき、「安定」とは、米国特許出願第２００８／０２６３７８０  Ａ１号に記載されているＦｌｏｃ  Ｆｏｒｍａｔｉｏｎ  Ｔｅｓｔを用いて測定したとき、少なくとも約２週間、又は少なくとも４週間、又は少なくとも４ヶ月間、２５℃で維持されたスラリー又は処理組成物について、目に見える相分離が観察されないことを意味する。色安定とは、スラリー又は組成物を少なくとも２週間、又は少なくとも４週間、又は少なくとも４ヶ月間、４０℃で維持したとき、作製されたばかりのスラリー又は処理組成物と比べて、スラリー又は処理組成物について色の変化が観察されないことを意味する。
【００１５】
本明細書で使用する全てのパーセント、比率及び割合は、特に規定がないかぎり、それぞれのスラリー又は組成物の重量パーセントによる。平均値は全て、特に明確に断らない限り、それぞれのスラリー、組成物又はその成分の「重量」に基づいて計算したものである。全ての測定は、特に指示しない限り、２５℃で実施する。
【００１６】
別途記載のない限り、成分、スラリー又は組成物の濃度は全て、前記成分、スラリー又は組成物の活性部分に関するものであり、このような成分又は組成物の市販の供給源に存在し得る不純物、例えば残留溶媒又は副生成物は除外される。
【００１７】
処理組成物：
処理組成物は、持続性のある使用中の匂い効果をもたらすために、マイクロカプセルを含む。マイクロカプセルは、通常、マイクロカプセルスラリーの一部として処理組成物に添加される。処理組成物は、好ましくは、処理組成物の０．０１重量％〜１２．５重量％、好ましくは０．１重量％〜２．５重量％、より好ましくは０．１５重量％〜１重量％の濃度のマイクロカプセルを含む。処理組成物は、好ましくは、マイクロカプセルコアに含まれる香料が、処理組成物の０．０１重量％〜１０重量％、好ましくは０．１重量％〜２重量％、より好ましくは０．１５重量％〜０．７５重量％の濃度で処理組成物中に存在するような濃度のマイクロカプセルを含む。
【００１８】
マイクロカプセル内に含有される香料は、マイクロカプセル壁によって被包されているので、処理組成物自体にはそれほど匂い効果をもたらさない。したがって、被包されていない香料組成物が、通常、処理組成物に添加される。存在するとき、処理組成物は、典型的に、処理組成物の０．１重量％〜５重量％、より好ましくは０．３重量％〜３重量％、更により好ましくは０．６重量％〜２重量％の濃度の被包されていない香料を含む。
【００１９】
マイクロカプセルコアに含まれる香料に類似する特徴を有するために、被包されていない香料組成物は、好ましくは、アルデヒド、ケトン、及びこれらの混合物からなる群から選択される香料原材料を含む。更により好ましくは、被包されていない香料は、被包されていない香料の０．１重量％〜１００重量％、更により好ましくは１重量％〜５０重量％の濃度の、アルデヒド、ケトン、及びこれらの混合物からなる群から選択される香料原材料を含む。被包されていない香料に含まれるアルデヒド及びケトンも、本発明のホルムアルデヒドスカベンジャーと複合体を形成して、変色を引き起こす複合体を形成することはない。
【００２０】
好適な処理組成物としては、洗濯洗剤組成物及びすすぎ添加剤などの、布地を処理するための製品；食器洗浄組成物、床洗浄剤、及び便器洗浄剤などの、硬質表面洗浄剤が挙げられる。
【００２１】
布地処理組成物が、特に好ましい。本明細書で使用するとき、「布地処理組成物」とは、例えば衣類に家庭用洗浄機において、布地を洗浄することができるか又は布地ケア効果をもたらすことができる任意の組成物を指す。このような布地処理組成物は、洗濯洗剤組成物、布地柔軟化組成物、及びこれらの組み合わせからなる群から選択することができる。布地の機械洗浄中、洗濯洗剤組成物は、通常は洗浄サイクルに添加されるが、布地柔軟化組成物は、通常はすすぎサイクル中に添加される。
【００２２】
本組成物は、粉末又は顆粒等の固体形態であってよい。しかし、処理組成物は、好ましくは、流体処理組成物である。本明細書で使用するとき、「流体処理組成物」とは、布地又は硬質表面等の基材を濡らし、且つ処理することができる、流体を含む、任意の処理組成物を指す。より容易に分散可能であり、且つ処理される表面をより均一にコーティングすることができるので、流体処理組成物が特に好ましい。流体処理組成物は、２５℃で流動可能であり、ほとんど水のような粘度を有する組成物を含むが、ゆっくり流動し、数秒間又は数分間その形状を保持する「ゲル」組成物も含む。
【００２３】
好適な流体組成物は、固体又は気体を適宜分割された形態で含み得るが、組成物全体としては、錠剤又は顆粒等の、全体として非流体である製品形態は除外する。流体組成物は、好ましくは１立方センチメートルあたり０．９グラム〜１．３グラム、より好ましくは１立方センチメートルあたり１．００グラム〜１．１０グラムの範囲の密度を有するが、任意の固形の添加物は除外し、存在する場合は任意の泡は含む。
【００２４】
流体組成物は、希釈又は濃縮された液体であってよい。好ましくは、流体組成物は、１重量％〜９５重量％の水及び／又は非アミノ官能性有機溶媒を含む。濃縮流体組成物については、本組成物は、水、非アミノ官能性有機溶媒、及びこれらの混合物を、好ましくは１５重量％〜７０重量％、より好ましくは２０重量％〜５０重量％、最も好ましくは２５重量％〜４５重量％含む。あるいは、処理組成物は、低水流体組成物であってもよい。このような低水流体組成物は、２０重量％未満、好ましくは１５重量％未満、より好ましくは１０重量％未満の水を含み得る。
【００２５】
本発明の流体組成物は、２重量％〜４０重量％、より好ましくは５重量％〜２５重量％の非アミノ官能性有機溶媒も含み得る。非アミノ官能性有機溶媒は、アミノ官能基を含有しない有機溶媒である。好ましい非アミノ官能性有機溶媒としては、一価アルコール、二価アルコール、多価アルコール、グリセロール、グリコール（ポリエチレングリコール等のポリアルキレングリコールを含む）、及びこれらの混合物が挙げられる。より好ましい非アミノ官能性有機溶媒としては、一価アルコール、二価アルコール、多価アルコール、グリセロール、及びこれらの混合物が挙げられる。極めて好ましいものは、非アミノ官能性有機溶媒の混合物、特に、エタノール、プロパノール、ブタノール、イソプロパノール等の低級脂肪族アルコール；１，２−プロパンジオール又は１，３−プロパンジオール等のジオール；及びグリセロールのうちの２つ以上の混合物である。プロパンジオールとジエチレングリコールとの混合物も好ましい。このような混合物は、好ましくは、メタノールもエタノールも含有しない。
【００２６】
好ましい非アミノ官能性有機溶媒は、周囲温度及び圧力（即ち、２１℃及び０．１ＭＰａ（１気圧））で液体であり、炭素、水素、及び酸素を含む。非アミノ官能性有機溶媒は、プレミックスの調製時に、又は最終流体組成物中に存在し得る。
【００２７】
また、処理組成物を水溶性フィルムで被包して、単位用量物品を形成することもできる。このような単位用量物品は、本発明の処理組成物を含み、この処理組成物は、２０重量％未満、好ましくは１５重量％未満、より好ましくは１０重量％未満の水を含み、この処理組成物は、水溶性又は水分散性フィルムに封入される。このような単位用量物品は、当該技術分野において既知の任意の手段を用いて形成することができる。洗濯洗剤組成物を含む単位用量物品が特に好ましい。
【００２８】
好適な水溶性パウチ材料としては、ポリマー、コポリマー、又はこれらの誘導体が挙げられる。好ましいポリマー、コポリマー、又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩類、ポリアミノ酸又はペプチド、ポリアミド、ポリアクリルアミド、マレイン酸／アクリル酸のコポリマー、澱粉及びゼラチンを含む多糖類、キサンタン及びカラガム等の天然ゴムからなる群から選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。
【００２９】
本発明の処理組成物及び単位用量物品は、より長い期間にわたってその色を維持するので、審美的に好ましい外観を維持しながら、透明又は半透明な容器内に包装することができる。半透明な容器は、収容されている組成物又は単位用量物品の色を見ることができる、十分な透明性を有する容器である。
【００３０】
Ａ）洗剤組成物：
本発明の処理組成物は、洗剤組成物、好ましくは洗濯洗剤組成物であり得る。洗剤組成物は、洗浄性効果をもたらすための界面活性剤を含む。本発明の洗剤組成物は、アニオン性活性剤、非イオン性界面活性剤、及びこれらの混合物からなる群から選択される界面活性剤を、１重量％〜７０重量％、好ましくは５重量％〜６０重量％、より好ましくは１０重量％〜５０重量％、最も好ましくは１５重量％〜４５重量％含み得る。アニオン性界面活性剤の非イオン性界面活性剤に対する好ましい重量比は、１００：０（即ち、非イオン性界面活性剤が存在しない）〜５：９５、より好ましくは９９：１〜１：４、最も好ましくは５：１〜１．５：１である。
【００３１】
本発明の洗剤組成物は、１つ以上のアニオン性界面活性剤を、好ましくは１〜５０重量％、より好ましくは５〜４０重量％、最も好ましくは１０〜３０重量％含むのが好ましい。好ましいアニオン性界面活性剤は、Ｃ１１〜Ｃ１８アルキルベンゼンスルホネート、Ｃ１０〜Ｃ２０分枝鎖及びランダムアルキルサルフェート、Ｃ１０〜Ｃ１８アルキルエトキシサルフェート、中鎖分枝状アルキルサルフェート、中鎖分枝状アルキルアルコキシサルフェート、１〜５個のエトキシ単位を含むＣ１０〜Ｃ１８アルキルアルコキシカルボキシレート、変性アルキルベンゼンスルホネート、Ｃ１２〜Ｃ２０メチルエステルスルホネート、Ｃ１０〜Ｃ１８  αオレフィンスルホネート、Ｃ６〜Ｃ２０スルホスクシネート、並びにこれらの混合物からなる群から選択される。しかし、洗剤組成物の技術分野において既知の全てのアニオン性界面活性剤、例えば、「Ｓｕｒｆａｃｔａｎｔ  Ｓｃｉｅｎｃｅ  Ｓｅｒｉｅｓ」、Ｖｏｌ．７、Ｗ．Ｍ．Ｌｉｎｆｉｅｌｄ，Ｍａｒｃｅｌ  Ｄｅｋｋｅｒ編に開示されているもの等を本質的に使用してよい。洗剤組成物は、好ましくは、直鎖アルキルベンゼンスルホン酸又は前記酸の水溶性塩形態等の、少なくとも１つのスルホン酸界面活性剤を含む。
【００３２】
本発明の洗剤組成物は、１つ以上の非イオン性界面活性剤を、好ましくは最大３０重量％、より好ましくは１〜１５重量％、最も好ましくは２〜１０重量％含むのが好ましい。好適な非イオン性界面活性剤としては、いわゆるピークの狭いアルキルエトキシレートを含むＣ１２〜Ｃ１８アルキルエトキシレート（「ＡＥ」）、Ｃ６〜Ｃ１２アルキルフェノールアルコキシレート（特に、エトキシレート及び混合エトキシ／プロポキシ）、Ｃ６〜Ｃ１２アルキルフェノールのブロック型アルキレンオキシド縮合体、Ｃ８〜Ｃ２２アルカノールのアルキレンオキシド縮合体、及びエチレンオキシド／プロピレンオキシドブロックポリマー（Ｐｌｕｒｏｎｉｃ（登録商標）−ＢＡＳＦ  Ｃｏｒｐ．）、並びに半極性の非イオン性物質（例えば、アミンオキシド及びホスフィンオキシド）が挙げられるが、これらに限定されない。好適な非イオン性界面活性剤の広範な開示は、米国特許第３，９２９，６７８号に見出すことができる。
【００３３】
洗剤組成物は更に、両性、双性イオン性、カチオン性界面活性剤、及びこれらの混合物等の更なる界面活性剤、酵素、酵素安定剤、両親媒性アルコキシル化グリース洗浄ポリマー、粘質土壌洗浄ポリマー、汚れ放出ポリマー、汚れ懸濁ポリマー、漂白系、蛍光増白剤、着色染料、微粒子物質、香料送達系を含む香料及び他の匂い制御剤、ヒドロトロープ、抑泡剤、布地ケア香料、ｐＨ調整剤、移染防止剤、防腐剤、非布地直接染料、並びにこれらの混合物からなる群から選択される従来の洗剤成分を含んでもよい。
【００３４】
Ｂ）布地柔軟化組成物：
処理組成物は、布地柔軟化組成物であってよい。このような布地柔軟化組成物は、布地柔軟化活性物質（「ＦＳＡ」）を含む。好適な布地柔軟化活性物質としては、クワット（quats）、アミン、脂肪酸エステル、ショ糖エステル、シリコーン、分散性ポリオレフィン、粘土、多糖類、脂肪油、ポリマーラテックス、及びこれらの混合物からなる群から選択される物質が挙げられる。
【００３５】
好適なクワットとしては、エステルクワット、アミドクワット、イミダゾリンクワット、アルキルクワット、アミドエステルクワット、及びこれらの混合物からなる群から選択される物質が挙げられる。好適なエステルクワットとしては、モノエステルクワット、ジエステルクワット、トリエステルクワット、及びこれらの混合物からなる群から選択される物質が挙げられる。好適なアミドクワットとしては、モノアミドクワット、ジアミドクワット、及びこれらの混合物からなる群から選択される物質が挙げられる。好適なアルキルクワットとしては、モノアルキルクワット、ジアルキルクワット、トリアルキルクワット、テトラアルキルクワット、及びこれらの混合物からなる群から選択される物質が挙げられる。
【００３６】
好適なアミンとしては、エステルアミン、アミドアミン、イミダゾリンアミン、アルキルアミン、アミドエステルアミン、及びこれらの混合物からなる群から選択される物質が挙げられる。好適なエステルアミンとしては、モノエステルアミン、ジエステルアミン、トリエステルアミン、及びこれらの混合物からなる群から選択される物質が挙げられる。好適なアミドクワットとしては、モノアミドアミン、ジアミドアミン、及びこれらの混合物からなる群から選択される物質が挙げられる。好適なアルキルアミンとしては、モノアルキルアミン、ジアルキルアミンクワット、トリアルキルアミン、及びこれらの混合物からなる群から選択される物質が挙げられる。
【００３７】
好ましい実施形態では、ＦＳＡは、四級アンモニウム化合物である。四級アンモニウム化合物は、典型的に、脂肪酸とアミノアルコールとの反応生成物から形成され、モノ、ジ、及び任意でトリエステル化合物の混合物が得られる。ＦＳＡは、モノアルキル四級アンモニウム化合物、ジアルキル四級アンモニウム化合物、ジアミド四級化合物、ジエステル四級アンモニウム化合物、及びこれらの混合物からなる群から選択されるもの等の１つ以上の柔軟剤四級アンモニウム化合物を含み得る。より好ましくは、ＦＳＡは、ジエステル四級アンモニウム化合物（以後「ＤＱＡ」と称する）を含む。更により好ましくは、ＦＳＡは、プロトン化ＤＱＡを含む。
【００３８】
好適なＦＳＡ及びそれを含む化合物の例は、米国特許出願公開第２００４／０２０４３３７  Ａ１号、同第２００４／０２２９７６９  Ａ１号、及び米国特許第６，４９４，９２０号に見出すことができる。
【００３９】
布地柔軟化組成物は、好ましくは、組成物の少なくとも２重量％、より好ましくは少なくとも約５重量％、更により好ましくは少なくとも約１０重量％、最も好ましくは少なくとも約１０重量％の濃度のＦＳＡを含む。布地ケア組成物は、好ましくは、組成物の４０重量％未満、より好ましくは３０重量％未満、最も好ましくは２０重量％未満の濃度のＦＳＡを含む。
【００４０】
布地柔軟化組成物は、多糖類、シリコーン、ショ糖エステル、分散性ポリオレフィン、ポリマーラテックス、脂肪酸、柔軟化油、粘土、及びこれらの混合物からなる群から選択される更なる柔軟化添加剤を含んでよい。
【００４１】
布地柔軟化組成物は、着色剤、増白剤、汚れ放出ポリマー、防腐剤、静電気制御剤、汚れ放出剤、悪臭制御剤、布地リフレッシュ剤、色維持剤、白色強化剤、耐磨耗剤、及びこれらの混合物からなる群から選択されるもの等の補助成分を含んでよい。
【００４２】
マイクロカプセル：
処理組成物は、マイクロカプセルを含む。マイクロカプセルは、マイクロカプセルコアと、マイクロカプセルコアを取り囲むマイクロカプセル壁と、を含む。マイクロカプセル壁は、ホルムアルデヒドと少なくとも１つの他のモノマーとを架橋させることによって形成される。用語「マイクロカプセル」は、本明細書で使用するとき、最も広義で、マイクロカプセル壁に被包されているコアを含むことを意味する。次に、マイクロカプセルコアは、香料を含む。被包される香料は、アルデヒド、ケトン、及びこれらの混合物から選択される香料原材料と、任意で希釈剤と、を含む。
【００４３】
希釈剤は、被包される香料を希釈するために用いられる材料であり、したがって、不活性であることが好ましい。即ち、希釈剤は、製造又は使用中に香料とは反応しない。好ましい希釈剤は、ミリスチン酸イソプロピル、プロピレングリコール、ポリ（エチレングリコール）、又はこれらの混合物からなる群から選択され得る。
【００４４】
マイクロカプセルは、典型的に、香料を含むコア材料を乳化して液滴にし、液滴の周囲で壁材料を重合させることによって形成される。結果として、マイクロカプセルは通常、スラリーの一部として入手可能である。マイクロカプセルスラリーは、典型的に、アニオン性乳化剤、塩化マグネシウム等の安定剤、及び防腐剤等の更なる成分を含む。被包技術は、ＭＩＣＲＯＥＮＣＡＰＳＵＬＡＴＩＯＮ：Ｍｅｔｈｏｄｓ  ａｎｄ  Ｉｎｄｕｓｔｒｉａｌ  Ａｐｐｌｉｃａｔｉｏｎｓ（Ｂｅｎｉｔａ及びＳｉｍｏｎ編、Ｍａｒｃｅｌ  Ｄｅｋｋｅｒ，Ｉｎｃ．，１９９６）に開示されている。メラミン−ホルムアルデヒド樹脂又は尿素−ホルムアルデヒド樹脂等のホルムアルデヒド系樹脂は、これらの広範囲の利用可能性及び合理的コスト故に、香料被包にとって特に魅力的である。
【００４５】
マイクロカプセル壁を形成するのに好ましい方法は、重縮合であり、これは、アミノプラスト被包体を生成するために使用してよい。アミノプラスト樹脂は、モノマーを含む１つ以上のアミンと１つ以上のアルデヒドとの反応生成物であり、ホルムアルデヒドは、本発明において最適なアルデヒドである。マイクロカプセルを形成するためにコアを取り囲むシェル材料は、ホルムアルデヒドと少なくとも１つの他のモノマーとを架橋させることによって形成することができる。任意の好適なモノマーを用いてよいが、少なくとも１つの他のモノマーは、好ましくは、メラミン及びその誘導体、尿素、チオ尿素、グリコウリル、ベンゾグアナミン、アセトグアナミン、ジヒドロキシエチレンウレア、ヒドロキシ（アルコキシ）アルキレンウレアモノマー、及びこれらの混合物からなる群から選択される。任意の好適なプロセスを用いて、このようなアミノプラスト被包体を形成することができる。好適なプロセスの例は、米国特許第３，５１６，９４１号に見出すことができる。
【００４６】
マイクロカプセルスラリーは、任意の未反応ポリマーに加えて、任意の香料を含まない重合した壁材料残渣を除去するために精製してよい。スラリーを精製する方法としては、例えば、ディスクスタック遠心分離機を用いる遠心分離が挙げられる。マイクロカプセルスラリーを精製する好適な方法は、米国特許出願公開第２０１０／００２９５３９  Ａ１号に見出すことができる。
【００４７】
マイクロカプセル壁は、マイクロカプセルを含む組成物で処理される部位におけるマイクロカプセルの付着及び／又は定着に役立つ、付着ポリマー等の１つ以上の材料でコーティングしてよい。好適な付着ポリマーは、典型的にはカチオン性であり、多糖類、カチオン変性デンプン、カチオン変性グアー、ポリシロキサン、ポリジアリルジメチルアンモニウムハロゲン化物、ポリジアリルジメチルアンモニウムクロリドとビニルピロリドンとのコポリマー、アクリルアミド、イミダゾール、イミダゾリニウムハロゲン化物、イミダゾリウムハロゲン化物、ポリビニルアミン、ポリビニルアミンとＮ−ビニルホルムアミドとのコポリマー、及びこれらの混合物からなる群から選択することができる。
【００４８】
付着ポリマーは、典型的に、１，０００Ｄａ〜５０，０００，０００Ｄａの重量平均分子量を有する。付着ポリマーは、好ましくは、１ｍｅｑ／ｇの付着ポリマー〜２３ｍｅｑ／ｇの付着ポリマーの電荷密度を有する。
【００４９】
より好ましくは、付着ポリマーは、ポリビニルアミン、ポリビニルホルムアミド、及びポリアリルアミン、並びにこれらのコポリマーからなる群から選択される。最も好ましくは、付着ポリマーは、ポリビニルホルムアミドである。付着ポリマーがポリビニルホルムアミドである場合、付着ポリマーは、好ましくは、５％〜９５％の加水分解度を有する。マイクロカプセルをコーティングするための好適なコーティング及びプロセスの例は、米国特許出願公開第２０１１／０１１１９９９（Ａ１）号に見出すことができる。
【００５０】
好ましくは、香料マイクロカプセルの少なくとも７５％、８５％、又は更には９０％は、１マイクロメートル〜８０マイクロメートル、より好ましくは５マイクロメートル〜６０マイクロメートル、更により好ましくは１０マイクロメートル〜５０マイクロメートル、最も好ましくは１５マイクロメートル〜４０マイクロメートルの粒径を有する。
【００５１】
好ましくは、香料マイクロカプセルの少なくとも７５％、８５％、又は更には９０％は、６０ｎｍ〜２５０ｎｍ、より好ましくは８０ｎｍ〜１８０ｎｍ、更により好ましくは１００ｎｍ〜１６０ｎｍの壁厚さを有する。
【００５２】
スラリーのｐＨを４〜７、好ましくは５〜５．５に上昇させるために、アルカリ剤を添加してよい。好適なアルカリ剤としては、水酸化ナトリウム、アンモニア、及びこれらの混合物が挙げられる。
【００５３】
マイクロカプセルコアは、被包された香料を含み、前記香料は、アルデヒド、ケトン、及びこれらの混合物からなる群から選択される香料原材料を含む。好適な香料アルデヒド及びケトンは、匂いを提供するものである。香料原材料は、処理された基材の匂いを強化する発香性材料である。マイクロカプセルに被包するのに好適な香料の非限定的な例は、米国特許出願公開第２００３−０１０４９６９  Ａ１号の段落４６〜８１に記載されている。１ｐｐｍ未満、好ましくは１０ｐｐｂ未満の匂い検出閾値（ＯＤＴ）を有するアルデヒド及びケトンが好ましい。匂い検出閾値が低いと、所望の芳香を提供するのに必要なアルデヒド及びケトンの濃度が低くなる。また、マイクロカプセルコアは、所望の匂い特性に依存して、更なる香料原材料を含んでもよい。香料原材料の選択は、得られる香料組成物の匂い強度及び特徴の両方を規定する。
【００５４】
好ましくは、マイクロカプセルコアは、０．１重量％〜１００重量％の香料を含む。より好ましくは、マイクロカプセルコアは、１０重量％〜５０重量％、更により好ましくは１５重量％〜３０重量％の香料を含む。
【００５５】
好ましくは、マイクロカプセルコアに含まれる香料は、アルデヒド、ケトン、及びこれらの混合物からなる群から選択される香料原材料を０．１重量％〜１００重量％、より好ましくは０．５重量％〜７５重量％、更により好ましくは１重量％〜５０重量％含む。
【００５６】
本発明のスラリーで用いられる香料アルデヒド及びケトンは、スラリーを変色させる尿素、ピロガロール、又は１，２ヘキサンジオールと複合体を形成しない。
【００５７】
香料アルデヒドは、好ましくは、エチルバニリン［ＣＡＳ番号：１２１−３２−４］、トリプラール［ＣＡＳ番号：６８０３９−４９−６］、ヘキシルシンナミックアルデヒド［ＣＡＳ番号：１０１−８６−０］、ウンデシレンアルデヒド［ＣＡＳ番号：１１２−４５−８］、パラ三級ブチルシンナミックアルデヒド［ＣＡＳ番号：８０−５４−６］、ピノアセトアルデヒド［ＣＡＳ番号：３３８８５−５１−７］、ピニルイソブチルアルデヒド［ＣＡＳ番号：３３８８５−５２−８］、リラール［ＣＡＳ番号：３１９０６−０４−４］、ヒドロシントロネラール（Hydrocintronellal）［ＣＡＳ番号：１０７−７５−５］、メチルノニルアセトアルデヒド［ＣＡＳ番号：１１０−４１−８］、メチルオクチルアセトアルデヒド［ＣＡＳ番号：１９００９−５６−４］、２−［４−メチルフェニル）メチレン］−ヘプタナール［ＣＡＳ番号：８４６９７−０９−６］、アミルシンナミックアルデヒド［ＣＡＳ番号：７４９３−７８−９］、ノニルアルデヒド［ＣＡＳ番号：１２４−１９−６］、２，６，１０−トリメチル−９−ウンデセナール［ＣＡＳ番号：１４１−１３−９］、デシルアルデヒド［ＣＡＳ番号：１１２−３１−２］、ラウリンアルデヒド［ＣＡＳ番号：１１２−５４−９］、ウンデシルアルデヒド［ＣＡＳ番号：１１２３−４４−７］、サイマール［ＣＡＳ番号：１０３−９５−７］、２，４−ジメチル−３−シクロヘキセン−１−カルバルデヒド［ＣＡＳ番号：６８０３９−４９−６］、３−（３−イソプロピルフェニル）ブタナール［ＣＡＳ番号：１２５１０９−８５−５］、シトラール［ＣＡＳ番号：５３９２−４０−５］、２，６−ジメチル−５−ヘプテナール［ＣＡＳ番号：１０６−７２−９］、ｐ−トリルアセトアルデヒド［ＣＡＳ番号：１０４−０９−６］、アニスアルデヒド［ＣＡＳ番号：１２３−１１−５］、バニリン［ＣＡＳ番号：１２１−３３−５］、２−メチル−３−（４−メトキシフェニル）プロパナール［ＣＡＳ番号：５４６２−０６−６］、３−（プクメニル）プロピオンアルデヒド［ＣＡＳ番号：７７７５−００−０］、３−（４−エチルフェニル）−２，２−ジメチルプロパナール［ＣＡＳ番号：６７６３４−１４−４］、３−（１，３−ベンゾジオキソール−５−イル）−２−メチルプロパナール［ＣＡＳ番号：１２０５−１７−０］、リモネンアルデヒド［ＣＡＳ番号：６７８４−１３−０］、８，８−ジメチル−２，３，４，５，６，７−ヘキサヒドロ−１Ｈ−ナフタレン−２−カルバルデヒド［ＣＡＳ番号：６８９９１−９７−９］、１−メチル−３−（４−メチルペンタ−３−エニル）シクロヘキサー３−エン−１−カルバルデヒド［ＣＡＳ番号：５２４７５−８６−２］、及びこれらの混合物からなる群から選択される。
【００５８】
香料アルデヒドは、より好ましくは、エチルバニリン［ＣＡＳ番号：１２１−３２−４］、バニリン［ＣＡＳ番号：１２１−３３−５］、トリプラール［ＣＡＳ番号：６８０３９−４９−６］、ヘキシルシンナミックアルデヒド［ＣＡＳ番号：１０１−８６−０］、アミルシンナミックアルデヒド［ＣＡＳ番号：７４９３−７８−９］、デシルアルデヒド［ＣＡＳ番号：１１２−３１−２］、サイマール［ＣＡＳ番号：１０３−９５−７］、アニスアルデヒド［ＣＡＳ番号：１２３−１１−５］、及びこれらの混合物からなる群から選択される。
【００５９】
香料ケトンは、好ましくは、ベンジルアセトン［ＣＡＳ番号：２５５０−２６−７］、α−イオノン［ＣＡＳ番号：１２７４１−３］、β−イオノン［ＣＡＳ番号：１４９０１−０７−６］、γメチルイオノン［ＣＡＳ番号：１２７−５１−５］、イソダマスコーン［ＣＡＳ番号：３９８７２−５７−６］、α−ダマスコーン［ＣＡＳ番号：２４７２０−０９−０］、β−ダマスコーン［ＣＡＳ番号：２３７２６−９１−２］、δ−ダマスコーン［ＣＡＳ番号：５７３７８−６８−４］、ダマセノン［ＣＡＳ番号：２３６９６−８５−７］、メチルセドリルケトン［ＣＡＳ番号：３２３８８−５５−９］、ジヒドロジャスモン［ＣＡＳ番号：１１１２８−０８−１］、ヘキシルシクロペンタノン［ＣＡＳ番号：１３０７４−６５−２］、２−ヘプチルシクロペンタノン［ＣＡＳ番号：１３７−０３−１］、２−ペンチル−シクロペンタノン［ＣＡＳ番号：４８１９−６７−４］、３−メチル−２−ペンチルシクロペンタノン［ＣＡＳ番号：１３０７４−６３−０］、２−ヘキシリデンシクロペンタノン［ＣＡＳ番号：１７３７３−８６−６］、１−（５，５−ジメチル−１−シクロヘキセニル）ペンタ−４−エン−１−オン［ＣＡＳ番号：５６９７３−８５−４］、メチル−β−ナフチルケトン［ＣＡＳ番号：９３−０８−３］、β−ナプチルメチルエーテル［ＣＡＳ番号：９３−０４−９］、４−メトキシアセトフェノン［ＣＡＳ番号：１００−０６−１］、４−メチルアセトフェノン［ＣＡＳ番号：１２２−０６−１］、カシュメラン［ＣＡＳ番号：３３７０４−６１−９］、４−（４−ヒドロキシフェニル）−２−ブタノン［ＣＡＳ番号：５４７１−５１−２］、メントン［ＣＡＳ番号：１０７４−９５−９］、３，４，５，６，−ペンタメチル−３−ヘプテン−２−オン［ＣＡＳ番号：８１７８６−７３−４］、シス−ジャスモン［ＣＡＳ番号：４８８−１０−８］、メチルジヒドロジャスモネート［ＣＡＳ番号：２４８５１−９８−７］、パラメチルアセトフェノン［ＣＡＳ番号：１２２−００−９］、２−シクロヘキシル−１，６−ヘプタジエン−３−オン［ＣＡＳ番号：３１３９７３−３７−４］、２，４，４，７−テトラメチル−オクタ−６−エン３−オン［ＣＡＳ番号：７４３３８−７２−０］、左旋性カルボン［ＣＡＳ番号：６４８５−４０−１］、及びこれらの混合物からなる群から選択される。
【００６０】
香料ケトンは、より好ましくは、ベンジルアセトン［ＣＡＳ番号：２５５０−２６−７］、α−イオノン［ＣＡＳ番号：１２７４１−３］、β−イオノン［ＣＡＳ番号：１４９０１−０７−６］、γメチルイオノン［ＣＡＳ番号：１２７−５１−５］、イソダマスコーン［ＣＡＳ番号：３９８７２−５７−６］、α−ダマスコーン［ＣＡＳ番号：２４７２０−０９−０］、β−ダマスコーン［ＣＡＳ番号：２３７２６−９１−２］、δ−ダマスコーン［ＣＡＳ番号：５７３７８−６８−４］、ダマセノン［ＣＡＳ番号：２３６９６−８５−７］、メチルセドリルケトン［ＣＡＳ番号：３２３８８−５５−９］、ジヒドロジャスモン［ＣＡＳ番号：１１１２８−０８−１］、ヘキシルシクロペンタノン［ＣＡＳ番号：１３０７４−６５−２］、２−ヘプチルシクロペンタノン［ＣＡＳ番号：１３７−０３−１］、２−ペンチル−シクロペンタノン［ＣＡＳ番号：４８１９−６７−４］、３−メチル−２−ペンチルシクロペンタノン［ＣＡＳ番号：１３０７４−６３−０］、２−ヘキシリデンシクロペンタノン［ＣＡＳ番号：１７３７３−８６−６］、１−（５，５−ジメチル−１−シクロヘキセニル）ペンタ−４−エン−１−オン［ＣＡＳ番号：５６９７３−８５−４］、メチル−β−ナフチルケトン［ＣＡＳ番号：９３−０８−３］、β−ナプチルメチルエーテル［ＣＡＳ番号：９３−０４−９］、パラメチルアセトフェノン［ＣＡＳ番号：１２２−００−９］、２−シクロヘキシル−１，６−ヘプタジエン−３−オン［ＣＡＳ番号：３１３９７３−３７−４］、２，４，４，７−テトラメチル−オクタ−６−エン３−オン［ＣＡＳ番号：７４３３８−７２−０］、左旋性カルボン［ＣＡＳ番号：６４８５−４０−１］、及びこれらの混合物からなる群から選択される。
【００６１】
特に好ましいのは、トリプラール［ＣＡＳ番号：６８０３９−４９−６］、デシルアルデヒド［ＣＡＳ番号：１１２−３１−２］、サイマール［ＣＡＳ番号：１０３−９５−７］、ウンデシレンアルデヒド［ＣＡＳ番号：１１２−４５−８］、δダマスコーン［ＣＡＳ番号：５７３７８−６８−４］、γメチルイオノン［ＣＡＳ番号：１２７−５１−５］、及びこれらの混合物からなる群から選択される香料アルデヒド及びケトンである。
【００６２】
一級又は二級アミン：
処理組成物は、少なくとも１つの一級又は二級アミンを含む。好適な一級又は二級アミンは、アルカノールアミン、ポリアミン、及びこれらの混合物から選択され得る。
【００６３】
用語「一級又は二級アミン」とは、少なくとも１つの一級又は二級アミン官能性部分を有する化合物を意味する。したがって、一級アミンは、少なくとも１つの−ＮＨ２基を含み、二級アミンは、少なくとも１つの−ＮＨ−Ｒ基（Ｒは、水素ではない）を含む。また、一級又は二級アミンは、一級及び二級アミン官能性部分の両方を含む場合もある。本発明のスラリーのホルムアルデヒドスカベンジャーは、活性化メチレン基を含まない。このような活性化メチレン基は、一級及び二級アミン、並びにアルデヒド又はケトンのいずれかと反応して、処理組成物を変色させる複合体を形成することができる。
【００６４】
アルカノールアミンは、典型的に、処理組成物の０．０２重量％〜１５重量％、好ましくは０．５重量％〜１０重量％、より好ましくは１重量％〜５重量％の濃度でｐＨ調整剤として処理組成物に添加される。好適なアルカノールアミンは、モノアルカノールアミン、ジアルカノールアミン、及びこれらの混合物から選択してよい。アルキル基１個当たり１〜３個の炭素原子を含む低級アルカノールアミン（例えば、モノエタノールアミン、ジエタノールアミン、及びこれらの混合物）が好ましい。特に好ましいのは、モノエタノールアミンである。高級アルカノールアミンは、高分子量アルキル基を有し、ｐＨを調整する目的のためにそれほど質量効率的（mass efficient）ではない可能性がある。
【００６５】
処理組成物は、ポリアミンを含み得る。存在する場合、このようなポリアミンは、好ましくは、処理組成物の０．０１重量％〜１０重量％、好ましくは０．１重量％〜５重量％、より好ましくは０．２重量％〜３重量％のポリアミンの濃度で存在する。
【００６６】
好適なポリアミンは、少なくとも１つの一級又は二級アミンを含むポリマー分子である。好ましいポリアミンは、３００ｇ／モル〜２０，０００，０００ｇ／モル、好ましくは５００ｇ／モル〜１０，０００，０００ｇ／モルの重量平均分子量を有する。
【００６７】
好適なポリアミンは、ポリマー主鎖に結合している少なくとも１つの一級アミン、少なくとも１つの二級アミン、及びこれらの組み合わせを含む。ポリマー主鎖は、無機であってもよいし、有機であってもよいし、またこれらの組み合わせであってもよい。一級アミン官能性部分は、ポリマー主鎖にグラフトされてもよいし、ポリマー主鎖の末端保護を形成してもよいし、またこれらの組み合わせであってもよい。二級アミン官能性部分は、ポリマー主鎖にグラフトされてもよいし、ポリマー主鎖の末端保護を形成してもよいし、ポリマー主鎖の一部として組み込まれてもよいし、またこれらの組み合わせであってもよい。ポリマー主鎖は、直鎖状であってもよいし、分枝状であってもよいし、樹状であってもよいし、またこれらの組み合わせであってもよい。
【００６８】
無機ポリマー主鎖を含む好ましいポリアミンは、オルガノシリコンポリマー、又はアミノ誘導化オルガノシラン、シロキサン、シラザン、アルマン、アルミニウムシロキサン、若しくはアルミニウムシリケート化合物の有機オルガノシリコンコポリマーから選択されるものである。無機ポリマー主鎖を含む、より好ましいポリアミンは、ジアミノアルキルシロキサン［Ｈ２ＮＣＨ２（ＣＨ３）２Ｓｉ］Ｏ、又はオルガノアミノシラン（Ｃ６Ｈ５）３ＳｉＮＨ２等の少なくとも１つの一級アミン部分を有するオルガノシロキサンである（Ｃｈｅｍｉｓｔｒｙ  ａｎｄ  Ｔｅｃｈｎｏｌｏｇｙ  ｏｆ  Ｓｉｌｉｃｏｎｅ，Ｗ．Ｎｏｌｌ，Ａｃａｄｅｍｉｃ  Ｐｒｅｓｓ  Ｉｎｃ．１９９８，Ｌｏｎｄｏｎ，ｐｐ  ２０９，１０６に記載されている）。
【００６９】
有機ポリマー主鎖を利用する好ましいポリアミンは、ポリエチレンイミン、アミンを含むデンドリマー；ポリビニルアミン及びその誘導体、並びに／又はこれらのコポリマー；ポリアミノ酸及びそのコポリマー；架橋ポリアミノ酸；アミノ置換ポリビニルアルコール；ポリエチレンビスアミン又はビスアミノアルキル；並びにこれらの混合物から選択されるものである。
【００７０】
特に好ましいポリアミンは、Ｌｕｐａｓｏｌ  ＦＧ（ＭＷ  ８００）、Ｇ２０ｗｆｖ（ＭＷ  １３００）、ＰＲ８５１５（ＭＷ  ２０００）、ＷＦ（ＭＷ  ２５０００）、ＦＣ（ＭＷ  ８００）、Ｇ２０（ＭＷ  １３００）、Ｇ３５（ＭＷ  １２００）、Ｇ１００（ＭＷ  ２０００）、ＨＦ（ＭＷ  ２５０００）、Ｐ（ＭＷ  ７５００００）、ＰＳ（ＭＷ  ７５００００）、ＳＫ（ＭＷ  ２００００００）、ＳＮＡ（ＭＷ  １００００００）等の商品名Ｌｕｐａｓｏｌとして市販されているもの等、少なくとも１つの一級又は二級アミンを含むポリエチレンイミンである。これらの中でも、最も好ましいものとしては、ＬｕｐａｓｏｌＨＦ又はＷＦ（ＭＷ  ２５０００）、Ｐ（ＭＷ  ７５００００）、ＰＳ（ＭＷ  ７５００００）、ＳＫ（ＭＷ  ２００００００）、６２０ｗｆｖ（ＭＷ  １３００）、及びＰＲ１８１５（ＭＷ  ２０００）、Ｅｐｏｍｉｎ  ＳＰ−１０３、Ｅｐｏｍｉｎ  ＳＰ−１１０、Ｅｐｏｍｉｎ  ＳＰ−００３、Ｅｐｏｍｉｎ  ＳＰ−００６、Ｅｐｏｍｉｎ  ＳＰ−０１２、Ｅｐｏｍｉｎ  ＳＰ−０１８、Ｅｐｏｍｉｎ  ＳＰ−２００、及びＡｌｄｒｉｃｈ製の８０％エトキシル化されたポリエチレンイミン等の部分的にアルコキシル化されたポリエチレンイミンが挙げられる。
【００７１】
また、ポリエチレンイミンデンドリマー；ポリプロピレンイミンデンドリマー；ポリアミドアミンデンドリマー；及びこれらの混合物からなる群から選択されるデンドリマーも好ましい。市販のポリアミドアミン（ＰＡＭＡＭ）デンドリマーは、Ｄｅｎｄｒｉｔｅｃｈから商品名Ｓｔａｒｂｕｒｓｔ（登録商標）ｇｅｎｅｒａｔｉｏｎ  Ｇ０〜Ｇ１０として、及びＤＳＭからＡｓｔｒｏｍｏｌｓ（登録商標）ｇｅｎｅｒａｔｉｏｎ  １〜５（ジアミノブタンポリアミンＤＡＢ（ＰＡ）ｘデンドリマー（ｘ＝２ｎ×４）であり、ｎは一般に０〜４含まれる）として入手可能である。
【００７２】
また、好適なポリアミンは、重量平均分子量が３００〜２，０００，０００であるポリビニルアミン；重量平均分子量が６００〜３０００であり、エトキシル化度が０．２〜０．８であるアルコキシル化ポリビニルアミン；ポリビニルアミンビニルアルコール（モル比２：１）、ポリビニルアミンビニルホルムアミド（モル比１：２）、及びポリビニルアミンビニルホルムアミド（モル比２：１）；トリエチレンテトラミン；ジエチレントリアミン；テトラエチレンペンタミン；ビス−アミノプロピルピペラジン；ポリアミノ酸（モル比１０／１のＬ−リシン／ラウリン酸）；ポリアミノ酸（モル比５／５／１のＬ−リシン／アミノカプロン酸／アジピン酸）；ポリアミノ酸（モル比５／３／１のＬ−リシン／アミノカプロン酸／エチルヘキサン酸）；ポリアミノ酸（ポリリシン−コカプロラクタム）；ポリリシン；臭化水素酸ポリリシン；架橋ポリリシン；重量平均分子量が４００〜３００，０００であるアミノ置換ポリビニルアルコール；ポリオキシエチレンビス［アミン］；ポリオキシエチレンビス［６−アミノヘキシル］；Ｎ，Ｎ’−ビス−（３−アミノプロピル）−１，３−プロパンジアミン直鎖又は分枝鎖（ＴＰＴＡ）；及び１，４−ビス−（３−アミノプロピル）ピペラジン（ＢＮＰＰ）からなる群から選択することもできる。
【００７３】
より好ましい一級又は二級アミンは、アルカノールアミン、エチル−４−アミノベンゾエート、Ｌｕｐａｓｏｌ  ＨＦ、Ｐ、ＰＳ、ＳＫ、ＳＮＡ、ＷＦ、Ｇ２０ｗｆｖ及びＰＲ８５１５等、商品名Ｌｕｐａｓｏｌとして市販されているポリエチレンイミンポリマー；ジアミノブタンデンドリマーＡｓｔｒａｍｏｌ（登録商標）、ポリリシン、架橋ポリリシン、Ｎ，Ｎ’−ビス−（３−アミノプロピル）−１，３−プロパンジアミン直鎖又は分枝鎖；１，４−ビス−（３−アミノプロピル）ピペラジン、並びにこれらの混合物から選択される。最も好ましい一級又は二級アミンは、アルカノールアミン、エチル−４−アミノベンゾエート、Ｌｕｐａｓｏｌ  ＨＦ、Ｐ、ＰＳ、ＳＫ、ＳＮＡ、ＷＦ、Ｇ２０ｗｆｖ及びＰＲ８５１５等、商品名Ｌｕｐａｓｏｌとして市販されているものを含む、分子量が２００ダルトン超のポリエチレンイミンポリマー；ポリリシン；架橋ポリリシン；Ｎ，Ｎ’−ビス−（３−アミノプロピル）−１，３−プロパンジアミン直鎖又は分枝鎖；１，４−ビス−（３−アミノプロピル）ピペラジン；並びにこれらの混合物から選択されるものである。
【００７４】
ホルムアルデヒドスカベンジャー：
本発明の処理組成物のマイクロカプセルは、ホルムアルデヒドと少なくとも１つの他のモノマーとを架橋させることによって作製される壁を含む。架橋反応が完了した後、遊離ホルムアルデヒドの残量が残る。架橋剤等の追加成分とともに更なるホルムアルデヒドを導入してもよい。更に、ホルムアルデヒドは、マイクロカプセルが経時劣化するにつれて放出される。理論に束縛されるものではないが、遊離ホルムアルデヒド濃度は、架橋マイクロカプセル壁における残留物の硬化及び末端基の加水分解に起因して上昇すると考えられる。したがって、遊離ホルムアルデヒド濃度が確実に許容可能な濃度のままであるように、ホルムアルデヒドスカベンジャーを処理組成物に添加する。
【００７５】
用語「遊離ホルムアルデヒド」とは、溶液上のヘッドスペースにおいて天然分子、即ち、Ｈ２ＣＯと速やかに平衡化することができる水溶液中に存在する分子形態を意味する。これは、水性天然分子、その水和形態（メチレングリコールＨＯＣＨ２ＯＨ）、及びその重合水和形態（ＨＯ（ＣＨ２Ｏ）ｎＨ（式中、ｎは１超である））を含む。これらは、Ｊ．Ｆ．Ｗａｌｋｅｒによるモノグラフ（Ｆｏｒｍａｌｄｅｈｙｄｅ  ＡＣＳ  Ｍｏｎｏｇｒａｐｈ  Ｓｅｒｉｅｓ  Ｎｏ．１５９  ３ｒｄ  Ｅｄｉｔｉｏｎ  １９６４  Ｒｅｉｎｈｏｌｄ  Ｐｕｂｌｉｓｈｉｎｇ  Ｃｏｒｐ．）に詳細に記載されている。遊離ホルムアルデヒド濃度は、ＡＳＴＭ法Ｄ５９１０−０５を用いて測定される。
【００７６】
本発明の処理組成物は、尿素、ピロガロール、１，２ヘキサンジオール、及びこれらの混合物からなる群から選択されるホルムアルデヒドスカベンジャーを含む。上述のホルムアルデヒドスカベンジャーの誘導体は、本発明の処理組成物において使用するのに適していないと考えられる。
【００７７】
【化１】
2016513141.tif 000002
【００７８】
ホルムアルデヒドスカベンジャーは、処理組成物に直接、又はプレミックスの一部として添加してよい。しかし、ホルムアルデヒドスカベンジャーは、好ましくは、マイクロカプセルスラリーに配合され、次いで、処理組成物に配合される。ホルムアルデヒドスカベンジャーをマイクロカプセルスラリーを介して添加すると、処理組成物の色安定性が更に強化されることが見出された。
【００７９】
本発明のホルムアルデヒドスカベンジャーは、活性化メチレン基を含まない。活性化メチレン基は、２つの強い電子求引基の間にメチレン基を有する。理論に束縛されるものではないが、活性化メチレン基は、アルデヒド及びケトンと反応して、処理組成物を変色させる有色化合物を生成すると考えられる。処理組成物は、更なるホルムアルデヒドスカベンジャーを含んでよい。しかし、そのような更なるホルムアルデヒドスカベンジャーも、活性化メチレン基を含んではならない。存在する場合、処理組成物中に存在する活性化メチレン基を含むホルムアルデヒドスカベンジャーの量は、ホルムアルデヒドスカベンジャーの全濃度の２５％未満、より好ましくは１５％未満、最も好ましくは５％未満に制限される。
【００８０】
尿素が、最も好ましいホルムアルデヒドスカベンジャーである。ホルムアルデヒドスカベンジャーであることに加えて、尿素は、マイクロカプセルのポリマー壁と架橋反応し、マイクロカプセル壁からの遊離ホルムアルデヒドの放出を阻害することができると考えられる。したがって、尿素は、遊離ホルムアルデヒドの生成を低減し、且つスラリー又は処理組成物に放出される任意のホルムアルデヒドを捕捉することができると考えられる。例えば、マイクロカプセル壁がホルムアルデヒドとメラミンととの架橋によって形成される場合、尿素は、メラミン−ホルムアルデヒドポリマー壁のメチロール基と反応し、マイクロカプセル壁からの遊離ホルムアルデヒドの放出を阻害することができると考えられる。更に、尿素がマイクロカプセル壁、特に尿素、メラミン、及びこれらの混合物とホルムアルデヒドとの架橋から作製される壁と複合体を形成する場合、この壁の多孔性は低くなる。結果として、アルデヒド及びケトンを含むマイクロカプセルコアからの香料原材料の漏れが低減される。尿素を用いる場合、尿素は、好ましくは、マイクロカプセルスラリーに直接添加され、次いで、処理組成物に添加される。尿素をまずマイクロカプセルスラリーに添加し、次いで、処理組成物に添加する場合、ホルムアルデヒドの捕捉改善及びマイクロカプセル壁の安定性のために、マイクロカプセルスラリーのｐＨは５．５未満であるのが特に好ましい。
【００８１】
ホルムアルデヒドスカベンジャーは、ホルムアルデヒドスカベンジャーが添加されなかった場合に存在するであろう遊離ホルムアルデヒドに対して過剰量で処理組成物に添加されることが好ましい。このように、ホルムアルデヒドスカベンジャーは、好ましくは、ホルムアルデヒドスカベンジャーが添加されなかった場合に処理組成物中に存在するであろう遊離ホルムアルデヒドの量に対して、１：１〜５：１、より好ましくは２：１〜４：１、更により好ましくは２：１〜５：２、最も好ましくは５：２〜５：１の過剰モル濃度で添加される。処理組成物中に存在するであろう遊離ホルムアルデヒドの量は、ホルムアルデヒドスカベンジャーの非存在下で測定する。
【００８２】
ホルムアルデヒドスカベンジャーは、好ましくは、５０百万分率（ｐｐｍ）未満、より好ましくは約２５ｐｐｍ未満、更により好ましくは約１０ｐｐｍ未満に処理組成物中の遊離ホルムアルデヒドを低減させる濃度で存在する。ホルムアルデヒドスカベンジャーをマイクロカプセルスラリーに直接添加する場合、ホルムアルデヒドスカベンジャーは、好ましくは、５０百万分（ｐｐｍ）未満、より好ましくは約２５ｐｐｍ未満、更により好ましくは約１０ｐｐｍ未満に処理組成物中の遊離ホルムアルデヒドを低減させる濃度で存在する。
【００８３】
ホルムアルデヒドスカベンジャーは、好ましくは、処理組成物の０．００５重量％〜０．８重量％、より好ましくは０．０３重量％〜０．５重量％、最も好ましくは０．０６５重量％〜０．２５重量％の濃度で処理組成物中に存在する。
【００８４】
マイクロカプセルスラリーに直接添加する場合、ホルムアルデヒドスカベンジャーは、好ましくは、マイクロカプセルスラリーの０．０１重量％〜１２重量％、より好ましくは１重量％〜８重量％、最も好ましくは２重量％〜６重量％の濃度でマイクロカプセルスラリー中に存在する。
【００８５】
処理の方法：
本発明の組成物は、部位と本発明の処理組成物とを接触させることによって、この部位に長時間匂い効果をもたらす方法において用いることができる。典型的に、長時間の匂い効果は、２５℃でアルミニウム箔に包んだ状態で１週間、好ましくは２週間、より好ましくは４週間、棚で布地を保存した後、乾燥部位を擦った際に香料の匂い効果を提供することである。
【００８６】
好ましくは、この部位は、布地である。布地は、好ましくは、自動洗浄機内で処理組成物と接触させる。例えば、処理組成物が洗剤組成物である場合、自動洗浄機の洗浄サイクル中に布地を処理組成物と接触させる。処理組成物が布地柔軟化組成物である場合、自動洗浄機のすすぎサイクル中に布地を処理組成物と接触させる。
【００８７】
方法：
Ａ）ｐＨ測定：
ｐＨは、取扱説明書に従って較正したジェル充填プローブ（例えば、Ｔｏｌｅｄｏプローブ、部品番号５２  ０００  １００）を備えるＳａｒｔａｒｉｕｓ  ＰＴ−１０Ｐ  ｐＨメータを用いて、２５℃で、未希釈組成物に対して測定する。
【００８８】
Ｂ）匂い検出閾値：
匂い検出閾値は、本明細書で以下に説明される制御されたガスクロマトグラフィー（ＧＣ）条件で測定する。このパラメータは、香料分野で一般的に使用される値を指し、幾つかの匂い物質が存在するという有意な検出が行われる最低濃度である。例えば、「Ｃｏｍｐｉｌａｔｉｏｎ  ｏｆ  Ｏｄｏｒ  ａｎｄ  Ｔａｓｔｅ  Ｔｈｒｅｓｈｏｌｄ  Ｖａｌｕｅ  Ｄａｔａ（ＡＳＴＭ  ＤＳ  ４８  Ａ）」、Ｆ．Ａ．Ｆａｚｚａｌａｒｉ編，Ｉｎｔｅｒｎａｔｉｏｎａｌ  Ｂｕｓｉｎｅｓｓ  Ｍａｃｈｉｎｅｓ，Ｈｏｐｗｅｌｌ  Ｊｕｎｃｔｉｏｎ，ＮＹ及びＣａｌｋｉｎ  ｅｔ  ａｌ．，Ｐｅｒｆｕｍｅｒｙ，Ｐｒａｃｔｉｃｅ  ａｎｄ  Ｐｒｉｎｃｉｐｌｅｓ，Ｊｏｈｎ  Ｗｉｌｌｅｙ  ＆  Ｓｏｎｓ，Ｉｎｃ．，２４３頁以下（１９９４）を参照されたい。本発明の目的のために、匂い検出閾値を、以下の方法に従って測定する：
ガスクロマトグラフは、シリンジで注入した材料の正確な体積、精密なスプリット比、並びに既知の濃度及び鎖長分布の炭化水素標準を用いた炭化水素反応を決定するために特徴付けられる。空気流量を正確に測定し、ヒトの吸入の時間が０．０２分間持続すると仮定して、サンプリングした体積を計算する。任意の時点の検出器における正確な濃度は既知であるため、吸入された体積当たりの質量、したがって材料の濃度も既知である。香料材料のＯＤＴを決定するために、逆算した濃度でスニッフポートに溶液を送達する。官能試験員がＧＣ溶出物を嗅ぎ、匂いを感知したときの保持時間を同定する。全ての官能試験員の平均から感知能の閾値を決定する。検出器において１０ｐｐｂ等の特定の濃度を得るために、必要な量の分析物をカラムに注入する。匂い検出閾値を決定するための典型的なガスクロマトグラフパラメータを以下に列挙する。
ＧＣ：ＦＩＤ検出器を備える５８９０  Ｓｅｒｉｅｓ  ＩＩ
７６７３オートサンプラー
カラム：Ｊ＆Ｗ  Ｓｃｉｅｎｔｉｆｉｃ  ＤＢ−１
長さ３０メートル、ＩＤ  ０．２５ｍｍ、膜厚１マイクロメートル
方法：
分割注入：１７／１スプリット比
オートサンプラー：１．１３マイクロリットル／注入
カラム流量：１．１０ｍＬ／分
空気流：３４５ｍＬ／分
入口温度：２４５℃
検出器温度：２８５℃
温度情報
初期温度：５０℃
速度：５℃／分
最終温度：２８０℃
最終時間：６分
主な仮定：一嗅ぎ当たり０．０２分間
ＧＣ空気をサンプル希釈物に添加する。
【実施例】
【００８９】
本発明の処理組成物において使用するスラリーＡ及び比較処理組成物において使用するスラリーＢの２つのスラリーの香料含有マイクロカプセルを調製した。スラリーＡはホルムアルデヒドスカベンジャーとして４重量％の尿素を含み、スラリーＢはホルムアルデヒドスカベンジャーとして１．４重量％のアセトアセトアミドを含んでいたことを除いて、同じ手順を用いてスラリーを作製した。両スラリーは、同じ組成及び構造のマイクロカプセルを含んでいた。両スラリーのマイクロカプセルは、メラミンとホルムアルデヒドとの架橋によって形成された壁を含んでいた。両スラリーのマイクロカプセルをポリビニルホルムアルデヒドでコーティングした。両スラリーのマイクロカプセルのコアは、３９．２重量％のアルデヒドを含む同じ香料からなっていた。
【００９０】
【表１】
2016513141.tif 000003
１  被包された香料は、３９．２重量％のアルデヒドを含んでいた。
【００９１】
スラリーを洗濯処理組成物に配合して、以下の最終処理組成物を形成した。処理組成物Ａは、０．０３５重量％の尿素を含んでいた。処理組成物Ｂ（比較）は、０．０１重量％のアセトアセトアミドを含んでいた。両処理組成物は、１ｐｐｍ未満の遊離ホルムアルデヒド濃度を示した：
【００９２】
【表２】
2016513141.tif 000004
２Ｔｉｎｏｐａｌ（登録商標）ＴＡＳ−Ｘ  Ｂ３６
３  Ｓｏｋａｌａｎ  ＰＧ  ６４０（ＢＡＳＦ製）
４  −ＮＨ当たり２０個のエトキシレート基を含むポリエチレンイミン（ＭＷ＝６００）
５  被包されていない香料は、１７．８重量％のアルデヒド及びケトンを含んでいた。
【００９３】
２００ｍＬの処理組成物Ａ及びＢ（比較）を３７５ｍＬのガラスジャーに密閉し、５０℃で２週間及び３５℃で８週間、処理組成物をエージングした。エージング前後の組成物の色及び色の変化（ΔＥ）を、以下の手順を用いて測定した：
サンプルに気泡が確実に入らないように、プラスチックキュベット（寸法１２．５×１２．５×４５ｍｍ、ＢＲＡＮＤ製、カタログ番号７５９０  ０５）に分析する処理組成物を充填した。Ｈｕｎｔｅｒｌａｂ  Ｃｏｌｏｒ  Ｑｕｅｓｔ  ＸＥを用いて色を測定し、前記測定は、反射モードで、Ｄ６５／１０光条件下にて、９．５ｍｍの開口で行った。「作ったばかりの」処理組成物（作製し、２１℃で保存した１時間後に測定）及びエージングした処理組成物の両方について、Ｌａｂスケールで色を測定した。色ΔＥの変化として表される変色を、以下の等式を用いてＬａｂ値から計算した：ΔＥ＝（ΔＬ２＋Δａ２＋Δｂ２）１／２：
【００９４】
【表３】
2016513141.tif 000005
【００９５】
色安定性データからわかるように、比較処理組成物Ｂのアセトアセトアミドホルムアルデヒドスカベンジャーに比べて、はるかに高濃度のホルムアルデヒドスカベンジャーを用いたにもかかわらず、ホルムアルデヒドスカベンジャーとして尿素を用いた処理組成物Ａの方が変色が実質的に少なかった。
【００９６】
実施例Ｃ〜Ｈ（液体洗濯処理組成物）：
メラミンとホルムアルデヒドとの架橋から形成されるマイクロカプセル壁、及び香料を含有するアルデヒド又はケトンを含むコアを有するマイクロカプセルと、尿素、ピロガロール、及び１，２ヘキサンジオールから選択されるホルムアルデヒドスカベンジャーと、を含む本発明の処理組成物の非限定的な例を、以下の表に開示する：
【００９７】
【表４】
2016513141.tif 000006
６  Ｎａｔａｌａｓｅ（登録商標）、Ｍａｎｎａｗａｙ（登録商標）及びＷｈｉｔｅｚｙｍｅ（登録商標）は、全てＮｏｖｏｚｙｍｅｓ（Ｂａｇｓｖａｅｒｄ，Ｄｅｎｍａｒｋ）の製品である。
７  蛍光増白剤は、Ｔｉｎｏｐａｌ（登録商標）ＡＭＳ−ＧＸ、Ｔｉｎｏｐａｌ（登録商標）ＣＢＳ−Ｘ、若しくはＴｉｎｏｐａｌ（登録商標）ＴＡＳ−Ｘ  Ｂ３６、又はこれらの混合物のいずれかであってよく、全てＣｉｂａ  Ｓｐｅｃｉａｌｔｙ  Ｃｈｅｍｉｃａｌｓ（Ｂａｓｅｌ，Ｓｗｉｔｚｅｒｌａｎｄ）によって供給される。
８  メラミンとホルムアルデヒドとの架橋から形成される壁を有し、香料を含有するアルデヒド又はケトンを含む、マイクロカプセルを３５重量％含む、香料マイクロカプセルスラリー。
９  液体洗濯処理組成物に直接添加するか、又はマイクロカプセルスラリーに添加し、次いで、それを処理組成物に添加する。
【００９８】
上述のマイクロカプセルと、ホルムアルデヒドスカベンジャーとしての尿素と、を含む本発明の低水処理組成物の非限定的な例を、以下の表に開示する：
【００９９】
【表５】
2016513141.tif 000007
【０１００】
得られた低水処理組成物を水溶性フィルムで被包して、水溶性単位用量物品を形成することができる。
【０１０１】
本明細書に開示される寸法及び値は、記載される正確な数値に厳密に限定されるものと理解されるべきではない。むしろ、特に断らないかぎり、そのような各寸法は、記載された値及びその値周辺の機能的に同等の範囲の両方を意味するものとする。例えば、「４０ｍｍ」として開示される寸法は、「約４０ｍｍ」を意味することを意図する。
【国際調査報告】
2016513141.tif 000008
2016513141.tif 000009